(57)【要約】【課題】光学防振装置において配線部材を適切に配置して小型化を実現する。【解決手段】光学防振装置は、防振レンズ１０４を保持するレンズ保持部材１００２と、該レンズ保持部材を、光軸方向に対して直交するシフト方向に移動可能に支持するベース部材１００１と、一端がベース部材に、他端がレンズ保持部材にそれぞれ取り付けられ、光軸方向及びシフト方向に対して傾いて配置されたバネ部材１００８ａと、レンズ保持部材をベース部材に対してシフト方向に駆動するアクチュエータを構成し、レンズ保持部材に取り付けられたコイル１００３ｐ，１００３ｙと、該コイル接続された配線部材１０１３（１０１３ｃ）とを有する。配線部材は、バネ部材とレンズ保持部材における該バネ部材に面する部分とにより囲まれた領域を通ってコイルに接続されている。【選択図】図４
2010039083.tif 000002
【特許請求の範囲】
【請求項１】
防振レンズを保持するレンズ保持部材と、
該レンズ保持部材を、光軸方向に対して直交するシフト方向に移動可能に支持するベース部材と、
一端が前記ベース部材に、他端が前記レンズ保持部材にそれぞれ取り付けられ、前記光軸方向及び前記シフト方向に対して傾いて配置されたバネ部材と、
前記レンズ保持部材を前記ベース部材に対して前記シフト方向に駆動するアクチュエータを構成し、前記レンズ保持部材に取り付けられたコイルと、
該コイルに接続された配線部材とを有し、
前記配線部材は、前記バネ部材と前記レンズ保持部材における前記バネ部材に面する部分とにより囲まれた領域を通って前記コイルに接続されていることを特徴とする光学防振装置。
【請求項２】
前記レンズ保持部材は、前記ベース部材に対して前記シフト方向にガイドされるガイド部を有し、
前記レンズ保持部材における前記バネ部材に面する部分は、前記ガイド部を含むことを特徴とする請求項１に記載の光学防振装置。
【請求項３】
前記配線部材はフレキシブル基板であり、該フレキシブル基板は前記レンズ保持部材の前記ベース部材に対する位置を検出する位置センサが実装されたセンサ実装部を有し、
前記センサ実装部は、前記ベース部材における前記レンズ保持部材側の面に固定され、
前記フレキシブル基板のうち前記センサ実装部に対して分岐した部分が、前記バネ部材と前記レンズ保持部材における前記バネ部材に面する部分とにより囲まれた領域を通って前記コイルに接続されていることを特徴とする請求項１又は２に記載の光学防振装置。
【請求項４】
請求項１から３のいずれか１つに記載の光学防振装置を有することを特徴とする光学機器。
【発明の詳細な説明】
【技術分野】
【０００１】
本発明は、像振れを低減する光学防振装置及びこれを備えた光学機器に関し、さらに詳しくは、光学防振装置における電気配線に関する。
【背景技術】
【０００２】
防振レンズ（以下、シフトレンズという）を光軸方向に直交する方向にシフトさせる光学防振装置としては、特許文献１にて開示されたものがある。
【０００３】
この光学防振装置は、シフトレンズを保持するレンズ保持部材と、該レンズ保持部材を、シフトレンズの光軸方向に対して直交するシフト方向に移動可能に支持するベース部材とを有する。また、レンズ保持部材とベース部材における周方向複数箇所には、光軸方向及びシフト方向に対して傾いて配置されたバネ部材の両端が取り付けられている。これらのバネ部材は、レンズ保持部材をシフト方向における中立位置に向けて付勢するとともに、光軸方向におけるベース部材に向けて付勢する。
【０００４】
レンズ保持部材とベース部材との間には複数のボールが配置されており、該ボールはレンズ保持部材をベース部材に対してシフト方向にガイドする。
【０００５】
また、レンズ保持部材に取り付けられたコイルと、ベース部材に取り付けられたマグネットとにより、レンズ保持部材をベース部材に対してシフト方向に駆動するアクチュエータが構成されている。
【特許文献１】特開平１０−３１９４６５号公報
【発明の開示】
【発明が解決しようとする課題】
【０００６】
特許文献１には明記されていないが、アクチュエータのコイルに対する電力の供給は、フレキシブル基板やリード線等の配線部材によって行われるのが一般的である。また、フレキシブル基板には、レンズ保持部材のベース部材に対するシフト位置を検出するための位置センサが実装される場合が多い。
【０００７】
しかしながら、光学防振装置の小型化に伴い、配線部材をどのように配置するかが問題となる。言い換えれば、配線部材を適切に配置しないと、光学防振装置の小型化が妨げられるおそれがある。
【０００８】
本発明は、配線部材を適切に配置して小型化を実現できるようにした光学防振装置及びこれを備えた光学機器を提供する。
【課題を解決するための手段】
【０００９】
本発明の一側面としての光学防振装置は、防振レンズを保持するレンズ保持部材と、該レンズ保持部材を、光軸方向に対して直交するシフト方向に移動可能に支持するベース部材と、一端がベース部材に、他端がレンズ保持部材にそれぞれ取り付けられ、光軸方向及びシフト方向に対して傾いて配置されたバネ部材と、レンズ保持部材をベース部材に対してシフト方向に駆動するアクチュエータを構成し、レンズ保持部材に取り付けられたコイルと、該コイルに接続された配線部材とを有する。そして、配線部材は、バネ部材とレンズ保持部材におけるバネ部材に面する部分とにより囲まれた領域を通ってコイルに接続されていることを特徴とする。
【００１０】
なお、上記光学防振装置を有する光学機器も、本発明の他の一側面を構成する。
【発明の効果】
【００１１】
本発明によれば、バネ部材と延出部との間の本来デッドスペースとなる領域を、配線部材を通す領域として有効に利用することで、光学防振装置のさらなる小型化を実現することができる。
【発明を実施するための最良の形態】
【００１２】
以下、本発明の好ましい実施例について図面を参照しながら説明する。
【実施例１】
【００１３】
図１には、本発明の実施例１である光学防振装置を備えた光学機器としての交換レンズと、該交換レンズが装着されたデジタル一眼レフカメラの構成を示している。
【００１４】
図１において、１はデジタル一眼レフカメラ（以下、単にカメラという）であり、２はカメラ１に装着された交換レンズである。
【００１５】
カメラ１において、メインミラー３は、後述するサブミラー４とともに、交換レンズ２からの光束の光路に対して進退する。図に示すように光路内に配置されたメインミラー３は、交換レンズ２からの光束の一部を反射して後述するファインダ光学系に導き、残りの光束を透過させる。
【００１６】
メインミラー３の背後にはサブミラー４が配置されている。サブミラー４は、メインミラー３を透過した光束を反射して焦点検出ユニット５に導く。
【００１７】
焦点検出ユニット５は、ＡＦセンサを有し、いわゆる位相差検出方式による交換レンズ２の焦点状態の検出を行う。
【００１８】
６はＣＣＤセンサ又はＣＭＯＳセンサにより構成される撮像素子である。撮像素子６の受光面（撮像面）上には交換レンズ２からの光束により被写体像が形成される。撮像素子６は、被写体像を光電変換して撮像信号を出力する。
【００１９】
ファインダ光学系は、ペンタプリズム７と、接眼レンズ８とにより構成されており、メインミラー３で反射した光束により形成された被写体像の観察を可能とする。
【００２０】
９はＬＣＤ等により構成されるディスプレイパネルであり、不図示の信号処理部で撮像信号に基づいて生成されたから画像や他の様々な情報を表示する。
【００２１】
交換レンズ２は、被写体側から順に、第１レンズユニット１０１、第２レンズユニット１０２、絞りユニット４１、第３レンズユニット１０３、第４レンズユニット１０４及び第５レンズユニット１０５を含む撮像光学系を収容している。ＡＸＬは撮像光学系の光軸である。
【００２２】
絞りユニット４１は、第３レンズユニット１０３よりも被写体側に配置されており、複数の絞り羽根４１ａにより形成される絞り開口の径を増減させることで、撮像光学系を通過してカメラ１に入射する光量を調節する。
【００２３】
第２レンズユニット１０２は、光軸ＡＸＬが延びる方向（以下、光軸方向という）に移動して焦点調節を行う。第１から第５レンズユニット１０１〜１０５は、光軸方向に移動して変倍を行う。
【００２４】
第４レンズユニット１０４は、防振レンズ（シフトレンズ）であり、光軸方向に直交する方向に移動することで、像振れを補正（低減）する。
【００２５】
２１は交換レンズ２のベース部材である固定筒であり、第２レンズユニット１０２を光軸方向に移動させるために操作されるフォーカス環３０を回転可能に保持する。また、固定筒２１の後端には、マウント部材４３が取り付けられている。さらに、固定筒２１には、交換レンズ２のピッチ方向（上下方向）及びヨー方向（左右方向）の振れをそれぞれ検出するためのジャイロセンサ等の角速度センサ（振れセンサ）が取り付けられている。
【００２６】
２２は案内筒であり、固定筒２１にビスによって固定される。案内筒２２には、光軸方向に延びる不図示の第１〜第３直進溝が形成されており、該第１〜第３直進溝はそれぞれ、第１直進筒２４、第３レンズユニット１０３を保持する第３鏡筒３８及び第４レンズユニット１０４を保持する第４鏡筒３９を光軸方向にガイドする。また、案内筒２２には、第１カム筒２３と係合するカムフォロア（図示せず）が取り付けられている。
【００２７】
第１カム筒２３には、変倍を行わせるために撮影者により回転操作されるズーム操作環２９の直進溝（図示せず）に係合するズームキー（図示せず）が取り付けられている。ズーム操作環２９の回転は、ズームキーを介して第１カム筒２３に伝達される。これにより、第１カム筒２３が回転しながら光軸方向に移動し、変倍が行われる。
【００２８】
また、第１カム筒２３には、第１〜第４カム溝２３ａ，２３ｂ，２３ｃ，２３ｄが形成されている。
【００２９】
第１直進筒２４に設けられた不図示のカムフォロアは、第１カム筒２３の第１カム溝２３ａと案内筒２２の第１直進溝に係合する。第３レンズユニット１０３に設けられた不図示のカムフォロアは、第１カム筒２３の第２カム溝２３ｂと案内筒２２の第２直進溝に係合する。第４レンズユニットに設けられた不図示のカムフォロアは、第１カム筒２３の第３カム溝２３ｃと案内筒２２の第３直進溝に係合する。
【００３０】
また、第１カム筒２３の第４カム溝２３ｄは、案内筒２２に設けられた前述のカムフォロワと係合する。
【００３１】
また、第１カム筒２３には、フォーカスカム筒２８に形成されたカム溝２８ａと第２カム筒２５に形成された直進溝に係合するカムフォロア（図示せず）が取り付けられている。
【００３２】
第１直進筒２４には、直進溝（図示せず）とカム溝２４ａとが形成されている。第１直進筒２４の直進溝には、第２直進筒２６に設けられた不図示のカムフォロアが係合し、これにより第２直進筒２６を光軸方向に案内する。また、第１直進筒２４のカム溝２４ａには、第１カム筒２３に設けられた前述のカムフォロアが所定のクリアランスを有して係合する。また、第１直進筒２４には、中間筒２７が固定されている。
【００３３】
２５は第２カム筒であり、直進溝（図示せず）とカム溝２５ａが形成されている。第２カム筒２５の直進溝には、第１カム筒２３に設けられた前述のカムフォロア（図示せず）が係合しているため、第１カム筒２３と第２カム筒２５は一体的に回転する。さらに、第２直進筒２６に設けられたカムフォロア（図示せず）は、第２カム筒２５のカム溝２５ａと第１直進筒２４の前述した直進溝と係合している。これにより、第２カム筒２５は回転しながら光軸方向に移動する。
【００３４】
第２直進筒２６の前端には、フィルタやフード等のアクセサリか装着される前枠３１が取り付けられている。また、第２直進筒２６には、第１レンズユニット１０１を保持する第１鏡筒３６に設けられたカムフォロア（図示せず）と係合して、光軸方向における第１鏡筒３６の位置を調整するためのカム溝２６ａが形成されている。
【００３５】
中間筒２７の前端内周には、リング板３４が取り付けられており、中間筒２７と第２直進筒２６との間からのゴミの侵入を防止している。
【００３６】
フォーカスカム筒２８には、フォーカス環３０に取り付けられたフォーカスキー（図示せず）と係合する直進溝が形成されている。これにより、フォーカス環３０の回転が、フォーカスカム筒２８に伝達され、フォーカスカム筒２８は回転しながら光軸方向に移動する。フォーカスカム筒２８には、第２レンズユニット１０２を保持する第２鏡筒３７が固定されているため、フォーカス環３０が撮影者によって回転操作されることで、マニュアルフォーカスが行われる。
【００３７】
なお、詳しくは図示しないが、図中の４４で示す領域には、フォーカス環３０を回転駆動するフォーカス駆動ユニットが設けられている。フォーカス駆動ユニットは、カメラ１からの信号に応じてフォーカス環３０を回転させる。これにより、オートフォーカスが行われる。
【００３８】
また、フォーカスカム筒２８が回転することで、第１カム筒２３は回転しながら光軸方向に移動する。
【００３９】
第３鏡筒３８は、前述した第１カム筒２３の第２カム溝２３ｂと案内筒２２の第２直進溝とに係合するカムフォロア（図示せず）を有する。また、第３鏡筒３８の被写体側の部分には、絞りユニット４１が取り付けられている。さらに、第３鏡筒３８には、第５鏡筒４０に連結される腕部（図示せず）が設けられている。これにより、第３鏡筒３８と第５鏡筒４０は一体的に光軸方向に移動する。
【００４０】
第４鏡筒３９は、前述した第１カム筒２３の第３カム溝２３ｃと案内筒２２の第３直進溝とに係合するカムフォロア（図示せず）を有する。第４鏡筒３９は、光学防振装置４２のベース部材である。
【００４１】
このように構成された交換レンズ２とカメラ１において、カメラ１に設けられた不図示のレリーズボタンが操作されると、オートフォーカス及び測光動作を経て、撮像素子６の露光と取得された画像の記録とが行われる。
【００４２】
図２及び図３には、光学防振装置４２の構成を示している。１００１は図１に示した第４鏡筒３９に相当するシフトベース（ベース部材）である。シフトベース１００１には、バネ部材１００８ａ，１００８ｂ，１００８ｃの一端が取り付けられる（引っ掛けられる）バネ取り付け部１００１ａ，１００１ｂ，１００１ｃを有する。
【００４３】
また、シフトベース１００１は、第１カム筒２３の第３カム溝２３ｃと案内筒２２の第３直進溝とに係合するカムフォロア（図示せず）が取り付けられるカムフォロア取り付け部１００１ｄ，１００１ｅ，１００１ｆを有する。
【００４４】
さらに、シフトベース１００１には、マグネット１００４ｐ，１００４ｙと、第１のヨーク１００６ｐ，１００６ｙと、第１のボール座１０１０ａ，１０１０ｂ，１０１０ｃと、ダンパ部材１０１４ｐ，１０１４ｙとが取り付けられている。
【００４５】
なお、「ｐ」が付された構成要素は、交換レンズ２のピッチ方向の回転振れにより生ずる像振れを補正するための構成要素であることを意味する。また、「ｙ」が付された構成要素は、交換レンズ２のヨー方向の回転振れにより生ずる像振れを補正するための構成要素であることを意味する。「ｐ」が付された構成要素と「ｙ」が付された構成要素は、光軸方向視において互いに９０度位相が異なる位置に配置されている。
【００４６】
１００２は第４レンズユニット１０４を保持するレンズ保持部材としてのシフト鏡筒であり、その被写体側（以下、前側という）の部分がシフトベース１００１よりも前側に突出するように配置されている。つまり、シフト鏡筒１００２の前側の部分はシフトベース１００１よりも前側に突出し、かつシフト鏡筒１００２の後側の部分はシフトベース１００１の内周に収容されている。
【００４７】
シフト鏡筒１００２は、バネ部材１００８ａ，１００８ｂ，１００８ｃの他端が取り付けられる（引っ掛けられる）バネ取り付け部１００２ａ，１００２ｂ，１００２ｃを有する。シフト鏡筒１００２は、バネ部材１００８ａ，１００８ｂ，１００８ｃを介してシフトベース１００１によって、光軸方向（第４レンズユニット１０４の光軸が延びる方向でもある）に直交する方向に移動可能に保持される。
【００４８】
以下の説明において、光軸方向に直交する方向をシフト方向といい、シフト方向に移動することをシフトするという。
【００４９】
また、シフト鏡筒１００２には、コイル１００３ｐ，１００３ｙと、位置検出マグネット１００５ｐ，１００５ｙと、第２のボール座１０１１ａ，１０１１ｂ，１０１１ｃと、遮光シート１０１２が取り付けられている。
【００５０】
１０１５ｐ，１０１５ｙはホール素子により構成される位置センサであり、後述するフレキシブル基板１０１３を介してシフトベース１００１におけるシフト鏡筒１００２側（レンズ保持部材側）の面（以下、前面という）に固定される。シフト鏡筒１００２とともに位置検出マグネット１００５ｐ，１００５ｙがシフトすることによって生じる磁界の変化を位置センサ１０１５ｐ，１０１５ｙで検出することにより、シフト鏡筒１００２のシフト量、つまりはシフト位置を算出することができる。
【００５１】
第１のヨーク１００６ｐ，１００６ｙは、シフトベース１００１の前面にビスにより固定される。第１のヨーク１００６ｐ，１００６ｙの前面には、マグネット１００４ｐ，１００４ｙがそれぞれ磁力によって吸着固定されている。
【００５２】
１００７は第２のヨークであり、マグネット１００４ｐ，１００４ｙによって生じる磁束の漏れを少なくする目的で設けられている。第２のヨーク１００７は、ストッパ１０１６とシフトベース１００１にビスにより固定される。これにより、第２のヨーク１００７と第１のヨーク１００６ｐ，１００６ｙ（及びマグネット１００４ｐ，１００４ｙ）との間に、コイル１００３ｐ，１００３ｙが配置される。マグネット１００４ｐとコイル１００３ｐにより、シフト鏡筒１００２をピッチ方向に駆動するアクチュエータが構成され、マグネット１００４ｙとコイル１００３ｙにより、シフト鏡筒１００２をヨー方向に駆動するアクチュエータが構成される。
【００５３】
バネ部材１００８ａ，１００８ｂ，１００８ｃとして、本実施例ではコイルバネが用いられている。光軸方向視において、バネ部材１００８ａ，１００８ｂ，１００８ｃの一端（外端）は、シフトベース１００１における周方向等間隔の３箇所に設けられたバネ取り付け部１００１ａ，１００１ｂ，１００１ｃに引っ掛けられている。また、バネ部材１００８ａ，１００８ｂ，１００８ｃの他端（内端）は、シフト鏡筒１００２における周方向等間隔の３箇所に、前側に突出するように設けられたバネ取り付け部１００２ａ，１００２ｂ，１００２ｃに引っ掛けられている。
【００５４】
なお、バネ部材１００８ａ，１００８ｂ，１００８ｃは、コイル１００３ｐ，１００３ｙ及びマグネット１００４ｐ，１００４ｙとは、光軸方向視において異なる位相に配置されている。
【００５５】
シフト鏡筒１００２に取り付けられた各バネ部材の他端は、シフトベース１００１に取り付けられた一端よりも前側に位置する。つまり、各バネ部材は、光軸方向及びシフト方向に対して傾くように配置されている。これにより、シフト鏡筒１００２には、シフト方向における中立位置（第４レンズユニット１０４の光軸が撮像光学系の光軸ＡＸＬに一致する位置）に向かう付勢力だけでなく、光軸方向におけるシフトベース１００１側に向かう付勢力が作用する。
【００５６】
シフトベース１００１側に向かう付勢力は、交換レンズ２にある程度の衝撃が加わった場合でも、シフト鏡筒１００２がシフトベース１００１に対して光軸方向に離れないように設定される。また、シフト方向の付勢力は、コイル１００３ｐ，１００３ｙに電力が供給されていない状態で、シフト鏡筒１００２の自重や交換レンズ２に加わった外乱によってシフト鏡筒１００２が中立位置からずれないように設定される。
【００５７】
１００９ａ，１００９ｂ，１００９ｃはボールであり、上述したシフトベース１００１側に向かう付勢力によって第１のボール座１０１０ａ，１０１０ｂ，１０１０ｃと第２のボール座１０１１ａ，１０１１ｂ，１０１１ｃとにより挟まれて保持される。シフトベース１００１に対するシフト鏡筒１００２のシフト方向へのガイドがボール１００９ａ，１００９ｂ，１００９ｃの転動によって行われる。
【００５８】
第１のボール座１０１０ａ，１０１０ｂ，１０１０ｃは、シフトベース１００１よりも剛性の高い材質によって作られ、シフトベース１００１に貼り付けられる。各第１のボール座は、シフトベース１００１における各ボールとの当接面に傷や凹みができることを防止する。
【００５９】
第２のボール座１０１１ａ，１０１１ｂ，１０１１ｃは、シフト鏡筒１００２よりも剛性の高い材質によって作られ、シフト鏡筒１００２に貼り付けられる。各第２のボール座は、シフト鏡筒１００２における各ボールとの当接面に傷や凹みができることを防止する。
【００６０】
本実施例では、各ボール及び各ボール座は、光軸方向におけるバネ部材１００８ａ，１００８ｂ，１００８ｃと同位相の位置に配置されている。
【００６１】
遮光シート１０１２は、不要光が撮像面に到達することを防ぐ目的で設けられており、シフト鏡筒１００２に接着固定される。
【００６２】
フレキシブルプリント基板（配線部材）１０１３は、固定筒２１に取り付けられた不図示の電気回路基板からコイル１００３ｐ，１００３ｙへの給電を行ったり、電気回路基板と位置センサ１０１５ｐ，１０１５ｙとの間で信号伝達を行ったりする機能を有する。
【００６３】
フレキシブルプリント基板１０１３には、位置センサ１０１５ｐ，１０１５ｙを半田付けにより実装するためのランドが設けられたセンサ実装部１０１３ａ，１０１３ｂが設けられている。また、フレキシブルプリント基板１０１３には、センサ実装部１０１３ａ，１０１３ｂに対して分岐して延びる部分であって、コイル１００３ｐ，１００３ｙに接続されるコイル接続部１０１３ｃ，１０１３ｄが設けられている。
【００６４】
なお、フレキシブルプリント基板１０１３に代えて、リード線等の他の配線部材を用いてもよい。
【００６５】
ダンパ部材１０１４ｐ，１０１４ｙは、シフト駆動時における粘性抵抗が生じるように設けられている。
【００６６】
ストッパ１０１６は、シフト鏡筒１００２の前側（シフトベース１００１から離れる側）への移動を阻止する役割を有する。ストッパ１０１６は、前述したように第２のヨーク１００７を挟んでシフトベース１００１にビスにより固定される。
【００６７】
電気回路基板上の不図示のＣＰＵは、ピッチ方向用及びヨー方向用の振れセンサ（角速度センサ）からの信号を積分して振れ変位を算出し、該振れ変位による像振れを打ち消すようにシフト鏡筒１００２のピッチ方向及びヨー方向での目標シフト量を算出する。そして、ＣＰＵは、電気回路基板からフレキシブルプリント基板１０１３を介してコイル１００３ｐ，１００３ｙへの通電を行う。これにより、コイル１００３ｐ，１００３ｙに発生する磁束とマグネット１００４ｐ，１００４ｙの磁束との作用によって生じた推力によりシフト鏡筒１００２がピッチ方向及びヨー方向にシフトする。
【００６８】
このとき、位置センサ１０１５ｐ，１０１５ｙからの出力信号がフレキシブルプリント基板１０１３を介してＣＰＵに伝達されることで、ＣＰＵは、シフト鏡筒１００２のピッチ方向及びヨー方向でのシフト量が目標シフト量に達したか否かを判定できる。こうして、ＣＰＵは、シフト鏡筒１００２のシフト量が目標シフト量に達するように、コイル１００３ｐ，１００３ｙへの通電、つまりはシフト鏡筒１００２の駆動を制御する。
【００６９】
図４には、シフト方向から見たときのシフトベース１００１と、シフト鏡筒１００２と、バネ部材１００８ａと、フレキシブルプリント基板１０１３（コイル接続部１０１３ｃ）との位置関係を示している。なお、シフトベース１００１と、シフト鏡筒１００２と、バネ部材１００８ｂと、フレキシブルプリント基板１０１３（コイル接続部１０１３ｄ）との位置関係も同様である。
【００７０】
前述したように、バネ部材１００８ａは、その長手方向（バネ軸方向）が光軸方向及びシフト方向に対して傾くように配置されている。
【００７１】
また、図４において、１００２ｄは、シフト鏡筒１００２のうち第４レンズユニット１０４を保持するレンズ保持枠部（レンズ保持部）１００２ｅよりも径方向外側に設けられた延出部である。該延出部１００２ｄは、光軸方向におけるバネ部材１００８ａとシフトベース１００１との間においてシフト方向に延びるように形成されている。本実施例では、延出部１００２ｄは、そのシフトベース１００１側の面に前述した第２ボール座１０１１ａが設けられ、ボール１００９ａによってシフトベース１００１に対してシフト方向にガイドされるガイド部として設けられている。
【００７２】
ただし、延出部１００２ｄは、必ずしもガイド部として設けられる必要はない。
【００７３】
そして、フレキシブルプリント基板１０１３のコイル接続部１０１３ｃは、バネ部材１００８ａとシフト鏡筒１００２における光軸方向及びシフト方向にてバネ部材１００８ａに面する部分とにより囲まれた領域Ｒを通ってコイル１００３ｐに接続されている。ここにいう「シフト鏡筒１００２における光軸方向及びシフト方向にてバネ部材１００８ａに面する部分」は、延出部１００２ｄにおけるバネ部材１００８ａ側の面とレンズ保持枠部１００２ｅにおける外周面である。
【００７４】
コイル接続部１０１３ｃは、延出部１００２ｄのうち最も内側（レンズ保持部に近い位置）に形成された突起部の前端面（図では上端面）に両面テープによって貼り付けられている。このようにして、コイル接続部１０１３ｃは、シフト鏡筒１００２によって支持される。
【００７５】
また、図４において、点Ａは、シフトベース１００１のバネ取り付け部１００１ａとここに取り付けられたバネ部材１００８ａの一端とが接触する位置を示している。また、点Ｂは、シフト鏡筒１００２のバネ取り付け部１００２ａとここに取り付けられたバネ部材１００８ａの他端とが接触する位置を示している。点Ｃは点Ａを通り、光軸方向に直交する平面に対して点Ｂを投影した点を示す。
【００７６】
そして、フレキシブルプリント基板１０１３のコイル接続部１０１３ｃは、点Ａ、点Ｂ及び点Ｃで構成される三角形（直角三角形）の領域Ｒ内を通ってコイル１００３ｐに接続されている。
【００７７】
これらのようなコイル接続部１０１３ｃの配置方法を採用することで、本来デッドスペースとなる領域Ｒを有効に利用して、シフト鏡筒１００２に対してフレキシブルプリント基板１０１３を効率良く配置することができる。
【００７８】
特に、本実施例では、フレキシブルプリント基板１０１３に、シフトベース１００１の前面に固定される位置センサ１０１５ｐ，１０１５ｙが実装されている。このため、コイル接続部１０１３ｃをシフト鏡筒１００２の前面に沿わせる方が、コイル１００３ｐまでのコイル接続部１０１３ｃの取り回しが容易である。
【００７９】
この場合、コイル接続部１０１３ｃを、シフト鏡筒１００２におけるバネ取り付け部１００２ａの内側（レンズ保持枠１００２ｅ側）の面に貼り付けることも可能である。しかし、このような配置では、コイル接続部１０１３ｃの幅に相当する長さだけ、バネ取り付け部１００２ａの長さ（前側への突出量）を図４に示す長さよりも大きくする必要がある。バネ取り付け部１００２ａの長さを大きくすると、光学防振装置の光軸方向の厚みが増加して該装置の大型化を招くだけでなく、バネ部材１００８ａのシフト方向に対する傾きが大きくなりすぎてシフト方向における所要の付勢力を確保することが難しくなる。あるいは、バネ部材１００８ａの傾きを大きくしない様、コイル接続部１０１３ｃの幅に相当する長さだけバネ取り付け部１００２ａと１００１ａの配置を外径側にシフトした場合には、光学防振装置の外径が大きくなることで該装置の大型化を招く。
【００８０】
したがって、前述した領域Ｒを通すようにコイル接続部１０１３ｃを配置することが、コイル接続部１０１３ｃの取り回し、光学防振装置の小型化、及びバネ部材１００８ａによる付勢力の確保の観点から適切である。
【００８１】
なお、本実施例では、シフト鏡筒１００２のバネ取り付け部１００２ａは、光軸方向視においてコイル接続部１０１３ｃと重なるように形成されている。これにより、フレキシブルプリント基板１０１３がシフト鏡筒１００２から浮いたときに、該フレキシブルプリント基板１０１３がバネ部材１００８ａに干渉することが防止される。
【実施例２】
【００８２】
図５には、本発明の実施例２を示している。図５は、シフト方向から見たときのシフトベース１００１と、シフト鏡筒１００２と、バネ部材１００８ａと、フレキシブルプリント基板１０１３（コイル接続部１０１３ｃ）との位置関係を示している。なお、シフトベース１００１と、シフト鏡筒１００２と、バネ部材１００８ｂと、フレキシブルプリント基板１０１３（コイル接続部１０１３ｄ）との位置関係も同様である。
【００８３】
また、本実施例の基本的な構成は実施例１と同じであり、本実施例において実施例１と共通する構成要素には実施例１と同符号を付す。
【００８４】
本実施例でも、バネ部材１００８ａは、その長手方向（バネ軸方向）が光軸方向及びシフト方向に対して傾くように配置されている。
【００８５】
また、本実施例でも、コイル接続部１０１３ｃは、バネ部材１００８ａとシフト鏡筒１００２における光軸方向及びシフト方向にてバネ部材１００８ａに面する部分とにより囲まれた領域Ｒを通っている。ここにいう「シフト鏡筒１００２における光軸方向及びシフト方向にてバネ部材１００８ａに面する部分」は、延出部１００２ｄにおけるバネ部材１００８ａ側の面とレンズ保持枠部１００２ｅにおける外周面である。なお、領域Ｒは、図４にも示した点Ａ，Ｂ，Ｃにより形成される三角形の領域でもある。
【００８６】
ただし、本実施例では、コイル接続部１０１３ｃは、シフト鏡筒１００２のレンズ保持枠部１００２ｅの外周面に、図４に示した向きに対して９０度回転させた向きで貼り付けられている。
【００８７】
本実施例でも、コイル接続部１０１３ｃの取り回し、光学防振装置の小型化、及びバネ部材１００８ａによる付勢力の確保の観点から、コイル接続部１０１３ｃをシフト鏡筒１００２に対して適切に配置している。
【００８８】
以上説明した各実施例は代表的な例にすぎず、本発明の実施に際しては、各実施例に対して種々の変形や変更が可能である。
【００８９】
また、上記各実施例では、レンズ交換式デジタル一眼レフカメラの交換レンズについて説明したが、本発明は、レンズ一体側のデジタルカメラやビデオカメラといった他の光学機器にも適用することができる。
【図面の簡単な説明】
【００９０】
【図１】本発明の実施例１である交換レンズとデジタル一眼レフカメラの構成を示す断面図。
【図２】実施例１における光学防振装置の分解斜視図。
【図３】実施例１における光学防振装置の斜視図。
【図４】実施例１におけるフレキシブルプリント基板の配置を説明する断面図。
【図５】本発明の実施例２におけるフレキシブルプリント基板の配置を説明する断面図。
【符号の説明】
【００９１】
１  カメラ
２  交換レンズ
１０１  第１レンズユニット
１０２  第２レンズユニット
１０３  第３レンズユニット
１０４  第４レンズユニット
１０５  第５レンズユニット
２１  固定筒
２２  案内筒
２３  第１カム筒
２４  第１直進筒
２５  第２カム筒
２６  第２直進筒
２７  中間筒
２８  フォーカスカム筒
２９  ズーム操作環
３０  フォーカス環
３６  第１鏡筒
３７  第２鏡筒
３８  第３鏡筒
３９  第４鏡筒
４０  第５群鏡筒
４１  絞りユニット
４２  光学防振装置
１００１  シフトベース
１００２  シフト鏡筒
１００３ｐ，１００３ｙ  コイル
１００４ｐ，１００４ｙ  マグネット
１００５ｐ，１００５ｙ  位置検出マグネット
１００６ｐ，１００６ｙ  第１のヨーク
１００７  第２のヨーク
１００８ａ，１００８ｂ，１００８ｃ  バネ部材
１００９ａ，１００９ｂ，１００９ｃ  ボール
１０１３  フレキシブルプリント基板
１０１５ｐ，１０１５ｙ  位置センサ
【図１】
2010039083.tif 000003
【図２】
2010039083.tif 000004
【図３】
2010039083.tif 000005
【図４】
2010039083.tif 000006
【図５】
2010039083.tif 000007